(57)【要約】【課題】廃棄物を投入あるいは掻き出すための開閉口とパッキン材との、廃棄物の汁等に起因する貼りつき現象を改善し、また、これら開閉口の清掃が容易に行えるようにして、美麗な外観と清潔を保つことが可能となる廃棄物処理装置を提供する。【解決手段】装置本体の枠体（１０）と、前記枠体内に設けられた廃棄物を処理するための処理槽（３）を有する廃棄物処理装置であって、パッキン材（６）と金属部材で密閉自在とされた開閉部（金属製投入口２，金属製掻き出し口１２）を有し、これらパッキン材と金属部材の表面の少なくともいずれか一方に、金属よりも疎水性の高い性質を備える部材（非粘着性部材２ａ，１２ａ）を有する構成とする。【選択図】            図１
2005279322.tif 000002
【特許請求の範囲】
【請求項１】
装置本体の枠体と、前記枠体内に設けられた廃棄物を処理するための処理槽を有する廃棄物処理装置であって、
パッキン材と金属部材で密閉自在とされた開閉部を有し、これらパッキン材と金属部材の表面の少なくともいずれか一方に、金属よりも疎水性の高い性質を備える部材を有することを特徴とする廃棄物処理装置。
【請求項２】
前記開閉部において、前記パッキン部材の厚さを一定にするためのストッパーを有することを特徴とする請求項１に記載の廃棄物処理装置。
【請求項３】
前記開閉部が、廃棄物を投入するための投入口を有することを特徴とする請求項１または請求項２に記載の廃棄物処理装置。
【請求項４】
前記開閉部が、廃棄物を取り出すための掻き出し口を有することを特徴とする請求項１または請求項２に記載の廃棄物処理装置。
【請求項５】
前記金属よりも疎水性の高い性質を備える部材が、非粘着性部材であることを特徴とする請求項１〜４のいずれか１項に記載の廃棄物処理装置。
【請求項６】
前記非粘着性部材は、ポリエチレンやポリプロピレンなどのポリオレフィン系樹脂、またはフッ化樹脂、またはポリテトラフルオロエチレン樹脂、またはアセタール樹脂、またはナイロン樹脂、等による非粘着性を有するプラスチック部材であることを特徴とする請求項５に記載の廃棄物処理装置。
【請求項７】
前記非粘着性部材が、前記開閉部に対して、板状、またはシート状、またはフィルム状に貼りつけられ、あるいはコーテングもしくは塗装されていることを特徴とする請求項５または請求項６に記載の廃棄物処理装置。
【請求項８】
前記パッキン材が、エチレン・プロピレンゴム（ＥＰＤＭゴム）であることを特徴とする請求項１〜７のいずれか１項に記載の廃棄物処理装置。
【請求項９】
前記投入口が金属製投入口で構成され、該金属製投入口とこの投入口に対する投入蓋との間に前記パッキン材が設けられる一方、
前記非粘着性部材が前記パッキン材と前記金属製投入口との間に設けられていることを特徴とする請求項１〜８のいずれか１項に記載の廃棄物処理装置。
【請求項１０】
前記掻き出し口が金属製掻き出し口で構成され、該金属製掻き出し口とこの掻き出し口に対する掻き出し蓋との間に前記パッキン材が設けられる一方、
前記非粘着性部材が前記パッキン材と前記金属製掻き出し口との間に設けられていることを特徴とする請求項１〜８のいずれか１項に記載の廃棄物処理装置。
【発明の詳細な説明】
【技術分野】
【０００１】
本発明は、微生物の力を利用して生ごみ等の廃棄物の分解処理を効率良く行う廃棄物処理装置、特に廃棄物処理装置における、投入口および掻き出し口を改良した廃棄物処理装置に関するものである。
【背景技術】
【０００２】
近年、微生物の力を利用した廃棄物処理装置が知られている。この廃棄物処理装置は、処理槽内に廃棄物を分解処理させるため基材が充填してあり、投入蓋を開いて処理槽に設けた投入口から廃棄物を処理槽内に投入し、基材中に生息する微生物の働きで廃棄物を分解処理するようになっている。
従来において、このような廃棄物処理装置では、投入蓋の閉時に投入口の気密性をもたせるために、例えば特許文献１に示されるように投入蓋と投入口の間にパッキン材を設けるようにしたものが提案されている。
【特許文献１】特開２００３−１８１４２４号公報
【発明の開示】
【発明が解決しようとする課題】
【０００３】
ところで、前記特許文献１に示すような従来例における廃棄物処理装置では、投入口のパッキン材当接面には、処理槽に廃棄物を投入する際に、こぼれた廃棄物の汁が付着しやすく、この汁が投入蓋を閉じてしばらく置くと、あたかも接着剤の如き作用による貼りつき現象を起こし、投入口とパッキン材を粘着させ、投入蓋を開けるのに大きな労力を必要とし、最悪の場合には投入蓋が開かない問題があった。そのため、特許文献１ではストッパーを設けてその改善が図られているが、投入口とパッキン材の上記貼りつき現象に関して、更なる改善が望まれていた。
【０００４】
また、投入口はステンレス鋼板等の材料が使用されており、投入口にこぼれた廃棄物の汁は乾燥すると投入口にこびり付き易く、雑巾で軽く拭いた程度では落ちないことが多く、長期間の使用において投入口をきれいに且つ清潔に保つことが困難であった。
同様に、掻き出し口においても、処理槽内の処理物が漏れ出すことが無いように、ステンレス鋼板等の材料が使用されている掻き出し口と、掻き出し蓋の間にパッキン材を介して処理槽の気密を確保しなければならないが、パッキン材は一般に柔軟性のあるゴム材等で作られており、長期間の使用により、掻き出し蓋の締め付け力を受けて圧縮・つぶされ等により掻き出し口に貼りつき、また、掻き出し口は、投入口と同様に処理済み廃棄物が付着して汚れ易いという問題があった。
【０００５】
本発明は、上記従来例の課題に鑑み、廃棄物を投入あるいは掻き出すための開閉口とパッキン材との、廃棄物の汁等に起因する貼りつき現象を改善し、また、これら開閉口の清掃が容易に行えるようにして、美麗な外観と清潔を保つことが可能となる廃棄物処理装置を提供することを目的とするものである。
【課題を解決するための手段】
【０００６】
本発明は、以下のように構成した廃棄物処理装置を提供するものである。
すなわち、本発明の廃棄物処理装置は、装置本体の枠体と、前記枠体内に設けられた廃棄物を処理するための処理槽を有する廃棄物処理装置であって、
パッキン材と金属部材で密閉自在とされた開閉部を有し、これらパッキン材と金属部材の表面の少なくともいずれか一方に、金属よりも疎水性の高い性質を備える部材を有する構成としたものである。
【発明の効果】
【０００７】
本発明によれば、廃棄物を投入しあるいは掻き出すための開閉口とパッキン材との、廃棄物の汁等に起因する貼りつき現象を改善し、また、これら開閉口の清掃が容易に行えるようにして、美麗な外観と清潔を保つことが可能となる廃棄物処理装置を実現することができる。
【発明を実施するための最良の形態】
【０００８】
本発明を実施するための最良の形態を、以下の実施例により説明する。
【実施例】
【０００９】
図１及至図６に示す本発明の実施例における廃棄物処理装置は、上記した本発明の廃棄物処理装置の構成を適用したものである。本実施例においては、上記構成を適用するに際し、前記開閉部において、前記パッキン部材の厚さを一定にするためのストッパーを有する構成とすることができる。
また、前記開閉部を、廃棄物を投入するための投入口を有する構成とし、あるいは廃棄物を取り出すための掻き出し口を有する構成とすることができる。
また、前記金属よりも疎水性の高い性質を備える部材を、非粘着性部材で構成することができる。
【００１０】
つぎに、これらについて、図１及至図６により、更に具体的に説明する。
ここで、図１は本実施例の廃棄物処理装置の構成を示す概略斜視図であり、投入蓋、および掻き出し蓋が開いている状態を示した図である。また、図２は図１のＸ視からみた廃棄物処理装置の投入蓋近辺の概略断面図であり、図３は本実施例の廃棄物処理装置の金属製投入口への非粘着性部材を配置した図２の拡大断面図である。また、図４は、本実施例の廃棄物処理装置の掻き出し蓋を開いた状態を示す図であり、図５は掻き出し蓋を閉じた状態を示す断面図である。また、図６は、本実施例の廃棄物処理装置の構成を示す概略斜視図であり、投入蓋、および掻き出し蓋が閉じている状態を示した図である。
【００１１】
図１及至図６において、１は廃棄物処理装置、２は廃棄物を投入する金属製投入口、２ａは投入口に取り付けられた非粘着性部材、３は廃棄物を分解処理するための処理槽である。
また、４は金属製投入口を開閉する投入蓋、５は投入蓋が所定の閉位置になるよう設けられたストッパー、６は廃棄物処理槽の密閉性を高めるために投入蓋に取り付けられたＥＰＤＭゴム製パッキン材、７は投入蓋４にＥＰＤＭゴム製パッキン材６を取り付けるパッキン取り付け枠、８は投入蓋４を回転自在に装置本体の枠体に取り付けるための蝶番、９は金属製投入口が設けられた装置本体枠の凹み部、１０は処理機本体を覆う外装カバーである。
【００１２】
１１は外装カバー１０に設けられた掻き出し蓋カバー、１２は処理槽内の廃棄物を掻き出すための金属製掻き出し口、１２ａは掻き出し口に取り付けられた非粘着性部材、１３は金属製掻き出し口を開閉する掻き出し蓋、１４は金属製掻き出し口の密閉性を高めるＥＰＤＭゴム製パッキン材、１５は掻き出し蓋１３にＥＰＤＭゴム製パッキン材１４を取り付けるパッキン取り付け枠である。
また、１６は掻き出し蓋１３を所定の閉位置になるよう設けられた掻き出し蓋ストッパー、１７は掻き出し蓋１３を回転自在に装置本体の枠体に取り付けるための蝶番、１８は掻き出し蓋１３を閉位置に保つロック爪である。
【００１３】
次に、上述のように構成された廃棄物処理装置の作用および動作について説明する。
廃棄物処理装置は、図１に示すように処理機本体１内に、廃棄物を投入する金属製投入口２を有する廃棄物処理槽３を備え、処理槽３は中央に撹拌軸（図示せず）を有し、中に基材（図示せず）が入っている。
基材は、生分解し難い繊維素が主成分のおが屑で、その一粒一粒が多孔質で吸水性と空隙を有し、かつ粒形が複雑で粒子間にも大きな空隙が形成されている。
この空隙により処理生物への酸素が供給できることで、廃棄物の分解処理の効率が向上する。また、このときの混合物中の廃棄物を分解する処理生物は、好気性の微生物や菌である。
【００１４】
そして、投入蓋４を開いて処理槽に設けた金属製投入口２から廃棄物を処理槽３内に投入し、廃棄物の撹拌を開始し、投入された廃棄物を細かく破砕するとともに基材とまんべんなく混合し、基材中に生息する微生物の働きで廃棄物を水分と炭酸ガスに分解し、排気ファン（図示せず）で処理槽３の外部へと排出する。また、廃棄物処理運転の継続に伴い、分解処理後の残留物や有機物と共に投入される難分解物（ビニール袋、割箸、貝殻等）が処理槽３内部の基材に蓄積され、微生物の生息環境が徐々に悪化して、処理能力の低下を招くことから、適宜の周期にて（例えば２ヶ月に１回）処理槽３内部の基材を金属製掻き出し口１２より取り出し、新たな基材に交換する。
【００１５】
以上のような廃棄物処理装置において、金属製投入口２および金属製掻き出し口１２に取り付けられた、非粘着性部材２ａ、１２ａについて説明する。
まず、金属製投入口２に取り付けられた非粘着性部材２ａについて説明すると、処理機本体１の上面には投入蓋４が取り付けられる凹み部９が設けられ、この凹み部９内に金属製投入口２が設けられており、この金属製投入口２の周縁部の全周に渡って非粘着性部材２ａが配置されている。
本実施例においては、非粘着性部材２ａはポリテトラフルオロエチレンフィルムを用い、その裏面には粘着剤が塗布されており、その粘着剤で金属製投入口２の所定の位置に貼り付けてある。
【００１６】
非粘着性部材２ａの金属製投入口２への取り付け方法は、他に、板状の非粘着性部材の場合にはネジ止め、また、シート状のものについては、本実施例のように粘着剤を用いても良い。
非粘着性部材２ａの投入口２への取り付け方法は、非粘着性部材２ａの形状、材厚、材質によって適宜変わるものとし、本実施例の取り付け方法に限定されるものではない。
【００１７】
また、本実施例においては、ポリテトラフルオロエチレン樹脂をフィルム状にしたものを使ったが、この外にも、ポリエチレンやポリプロピレンなどのポリオレフィン系樹脂、フッ化樹脂、アセタール樹脂、ナイロン樹脂等の非粘着性を有するプラスチック材を用いても良い。
また、前記ポリエチレンやポリプロピレンなどのポリオレフィン系樹脂、フッ化樹脂、ポリテトラフルオロエチレン樹脂、アセタール樹脂、ナイロン樹脂等の非粘着性を有する塗料を、金属製投入口２および金属製掻き出し口１２に、コーテングもしくは塗装しても良い。
【００１８】
以上のようにして、金属製投入口２に配置された非粘着性部材２ａに、ＥＰＤＭゴム製パッキン材６が当接される。
ＥＰＤＭゴム製パッキン材６は、投入蓋４に形成されたパッキン取り付け枠７に挟み込むことで投入蓋４と一体になるよう取り付けられている。投入蓋４の一端（処理機本体の背面側）には蝶番８ａ、８ｂが取り付けられており、この蝶番８ａ、８ｂを介して処理機本体１に開閉自在に取り付けられる。投入蓋４の蝶番８ａ、８ｂ取り付け側とは対向する（処理機本体の前面側）一端にはストッパー５ａ、５ｂが左右に一対取り付けられている。
【００１９】
図３に示すように、ＥＰＤＭゴム製パッキン材６は投入蓋４のパッキン取り付け枠７に差込むトリム部６ｂと、金属製投入口２に押し当たる中空部６ａとから成っており、弾性を有するようになっている。ストッパー５ａ，５ｂはＥＰＤＭゴム製パッキン材６が、所定以上のたわみ量にならないように制限するものである。
このパッキン材の材質に、化学的に安定なシリコーンゴム等で作られたパッキン材を用いれば、金属製投入口２への貼りつき現象をより改善することができるが、シリコーンゴムは非常に高価であることから、本実施例においては、シリコーンゴムより貼りつき現象が発生し易いが、安価で耐薬品性に優れているＥＰＤＭゴム（エチレン・プロピレンゴム）によるパッキン材を用いている。
本実施例によれば、このようなＥＰＤＭゴム（エチレン・プロピレンゴム）によるパッキン材を用いた場合においても、非粘着性部材２ａを金属製投入口２に取り付けることにより、金属製投入口２にこぼれた廃棄物の汁等を容易に拭き取ることができ、また長期間において投入蓋４を閉めておいてもＥＰＤＭゴム製パッキン材６の金属製投入口２への貼りつき現象を起こさないようにすることができる。
【００２０】
つぎに、金属製掻き出し口１２について説明する。
廃棄物処理装置における基材には寿命があり、廃棄物処理運転の継続に伴い、分解処理後の残留物、有機物と共に投入される難分解物（ビニール袋、割箸、貝殻等）が処理槽３内部の基材（図示せず）に蓄積され、微生物の生息環境が徐々に悪化して、処理能力の低下を招くことから、処理槽３内部の基材を適宜の周期にて取り出し（例えば２ヶ月に１回）、新たな基材に交換する必要がある。
図１に示すように、基材の交換時には、まず、本体外装部１０の掻き出し蓋カバー１１を取り外し、掻き出し蓋１３を開け、金属製掻き出し口１２より使用済みの基材をスコップ等で処理槽３内より掻き出すようになっている。
【００２１】
図４に示すように、掻き出し蓋１３のＥＰＤＭゴム製パッキン材１４は、掻き出し蓋１３のパッキン取り付け枠１５に差込むトリム部１４ｂと、処理槽３の金属製掻き出し口１２に押し当たる中空部１４ａとから成っており、弾性を有するようになっている。
ここでのパッキン材の材質にも、化学的に安定なシリコーンゴム等で作られたパッキン材を用いれば、金属製掻き出し口１２への貼りつき現象を改善することができるが、シリコーンゴムは非常に高価であることから、本実施例においては、シリコーンゴムより貼りつき現象が発生し易いが、安価で耐薬品性に優れているＥＰＤＭゴム（エチレン・プロピレンゴム）によるパッキン材が用いられている。
このようなＥＰＤＭゴム（エチレン・プロピレンゴム）によるパッキン材を用いた場合においても、前述した投入蓋部と同様に、非粘着性部材１２ａを金属製掻き出し口１２に取り付けることにより、金属製掻き出し口１２に使用済み基材が付着した場合においても容易に拭き取ることができ、また長期間において掻き出し蓋を閉めておいてもＥＰＤＭゴム製パッキン材１４の金属製掻き出し口１２への貼りつき現象を起こさないようにすることができる。
【００２２】
以上の本実施例によれば、安価なＥＰＤＭゴム製パッキン材を用いた場合においても、パッキン材と廃棄物を投入あるいは掻き出すための開閉口との、廃棄物の汁等に起因する貼りつき現象を確実に防止することができ、開閉部における開閉抵抗を軽減することが可能となる。
【図面の簡単な説明】
【００２３】
【図１】本発明の実施例における廃棄物処理装置の構成を示す図であり、投入蓋、および掻き出し蓋が開いている状態を示す概略斜視図である。
【図２】図１のＸ視から見た実施例における廃棄物処理装置の概略中央の投入蓋部断面図である。
【図３】本発明の実施例における廃棄物処理装置の金属製投入口に非粘着性部材を取り付けた概略断面図である。
【図４】本発明の実施例における廃棄物処理装置の掻き出し蓋が開いた状態を示す断面図である。
【図５】本発明の実施例における廃棄物処理装置の掻き出し蓋が閉じた状態を示す断面図である。
【図６】本発明の実施例における廃棄物処理装置の構成を示す図であり、投入蓋および掻き出し蓋が閉じた状態を示す概略斜視図である。
【符号の説明】
【００２４】
１：処理装置本体
２：金属製投入口
２ａ：非粘着性部材
３：処理槽
４：投入蓋
５：投入蓋ストッパー
６：投入蓋ＥＰＤＭゴム製パッキン材
７：投入蓋パッキン取り付け枠
８：投入蓋蝶番
９：外装部（枠体）凹み部
１０：外装部（枠体）
１１：掻き出し蓋カバー
１２：金属製掻き出し口
１２ａ：非粘着性部材
１３：掻き出し蓋
１４：掻き出し蓋ＥＰＤＭゴム製パッキン材
１５：掻き出し蓋パッキン取り付け枠
１６：掻き出し蓋ストッパー
１７：掻き出し蓋蝶番
１８：ロック爪
【図１】
2005279322.tif 000003
【図２】
2005279322.tif 000004
【図３】
2005279322.tif 000005
【図４】
2005279322.tif 000006
【図５】
2005279322.tif 000007
【図６】
2005279322.tif 000008